(57)【要約】【課題】レジスタの吹き出し口の下部が上部よりも突き出るように吹き出し口が傾斜している場合でも、レジスタの吹き出し口から吹き出る気流を下方に偏向する。【解決手段】複数の横フィン４０の最上部の横フィン４１の回転軸４１ａに直交する方向の幅を他の横フィン４１〜４７よりも長くし、横フィン４１の隣の横フィン４２を固定し、前記気流を下向きに偏向するとき、横フィン４１の回転軸４１ａよりも下流側部分の上面、隣の横フィン４２の上面および他の各横フィン４３〜４７の上面を連ねて傾斜した上面を構成し、前記傾斜した上面の下端側が上端側よりも下流側に位置するようにし、横フィン４１とレジスタ１０の上壁１１ａとの間から吹き出る気流を前記傾斜した上面に沿って下向きに偏向する。前記気流を上向きに偏向するとき、横フィン４１の吹き出し口１２側端部がレジスタ１０の上壁１１ａに当接する。【選択図】図４
2010111272.tif 000002
【特許請求の範囲】
【請求項１】
複数の横フィンにより気流を偏向するレジスタであって、
最上部の横フィンの隣の横フィンを固定し、
前記最上部の横フィンの隣の横フィン以外の各横フィンは連動し、
前記気流を下向きに偏向するとき、前記最上部の横フィンの回転軸よりも下流側部分の上面、前記最上部の横フィンの隣の横フィンの上面および他の各横フィンの上面を連ねて傾斜した上面を構成し、前記傾斜した上面の下端側が上端側よりも下流側に位置するようにし、前記最上部の横フィンとレジスタの上壁との間を気流が通過可能であり、前記最上部の横フィンとレジスタの前記上壁との間を通過する気流が前記傾斜した上面に沿って下向きに偏向し、
前記気流を上向きに偏向するとき、前記最上部の横フィンの下流側端部がレジスタの前記上壁に当接することを特徴とするレジスタ。
【請求項２】
請求項１記載のレジスタであって、
最上部の横フィンの回転軸より上流側部分が前記最上部の横フィンの回転軸より下流側部分に対して下方に折れ曲っていることを特徴とするレジスタ。
【請求項３】
請求項１記載のレジスタであって、
前記気流を上向きに偏向するとき、最下部の横フィンの上流側端部がレジスタの下壁に当接することを特徴とするレジスタ。
【請求項４】
請求項１ないし３のいずれかに記載のレジスタであって、
最上部の横フィンの上流側端部と下流側端部との距離が他の横フィンの上流側端部と下流側端部との距離よりも長いことを特徴とするレジスタ。
【請求項５】
請求項２記載のレジスタであって、
前記気流を下向きに偏向するとき、前記最上部の横フィンの回転軸より上流側部分と上壁との間隔が上流側になるほど広くなることを特徴とするレジスタ。
【発明の詳細な説明】
【技術分野】
【０００１】
本発明は、自動車に使用されるレジスタに関し、特にレジスタの吹き出し口の下部が上部よりも突き出るように吹き出し口が傾斜している場合でも、主たる吹き出し口と別個の吹き出し口を設けることなく、レジスタの吹き出し口から吹き出る気流を下方および上方に偏向することができる技術に関するものである。
【背景技術】
【０００２】
従来、自動車のインストルメントパネルの傾斜の程度が大きい場合に、このインストルメントパネルにレジスタを設置すると、図９のようにレジスタ８０の吹き出し口が下方にて突き出るような構造になった。図９では、レジスタ８０の横フィン８１による気流８２の下向きの偏向を示している。この場合、気流８２を下向きに偏向する方向に横フィン８１を振りすぎると横フィン８１間の隙間が著しく減少し気流８２の流路を塞いでしまうので、横フィン８１の振り角（回転角度）および横フィン８１の間隔の制限がある。このため、気流８２は矢印８３方向に流れるので、気流８２の下方への偏向が殆どできず、かつ、気流８２の圧力損失が大きかった。
さらに、図１０に示すように、気流８４を上向きに偏向する場合（矢印８５は気流８４の方向を示す。）には、レジスタ８０の吹き出し口の高さＨ方向の拡大により、気流８４の速度が低下し、さらに、気流８４が拡散して、気流８４のスポット性が低下するという問題があった。このため、乗員に気流８４を向けたときのスポット感が低下し、気流８４の速度が低下し乗員に気流８４が当たらないなどの問題があった。
このため、以下のように種々のレジスタが用いられていた。
例えば、主たる吹き出し口とは別の吹き出し口から気流を下方に斜めに吹き出すようにして、気流を下方に偏向するようにしているものがある（例えば特許文献１参照）。
さらに、前側吹き出し口と上側吹き出し口とを別個に設け、気流の偏向をするものがある（例えば特許文献２参照）。
さらに、第１の吹き出し口の横に第２の吹き出し口を設け、第２の吹き出し口を偏向流路としたものがある（例えば特許文献３参照）。
さらに、正面の吹き出し口の上側に斜め上向きの吹き出し口を設けて気流を偏向するものがある（例えば特許文献４参照）。
【０００３】
さらに、吹き出し口が後上方から前下方に傾斜しているレジスタにおいて、複数の連動する横フィンにより下方に気流を偏向させる場合に、２つの横フィンを直線的に連ねて組にしたものを２組構成して、横フィンによりシャットしないようにして、気流を偏向させる構成が示されている（例えば特許文献５参照）。
さらに、ベゼル面の下部に大きな傾斜面を設けて、下向きの気流がこの傾斜面から吹き出るようにする場合があり、また、リテーナの内面の下部に凸状部を設けて、この凸状部から気流が下向きに吹き出るようにする場合がある。
【特許文献１】実公平７−１２１１０号公報
【特許文献２】特開平５−３３２６０７号公報
【特許文献３】特開平５−３３２６０８号公報
【特許文献４】特開２０００−９４９５５号公報
【特許文献５】特開２００７−２６９１１４号公報
【発明の開示】
【発明が解決しようとする課題】
【０００４】
しかし、上述の特許文献１〜４のように、主たる吹き出し口と別個の吹き出し口を設けるレジスタでは、ダンパなどの流れの制御機構が必要になり、別の吹き出し口を設けると、従来と異なる意匠や流路のスペースが必要となるという問題があった。
また、特許文献５のようにした場合でも、気流を下方に偏向する横フィンの傾斜に制限があり、レジスタにより気流を十分に下方に偏向することができないという問題があった。
また、ベゼル面の下部に大きな傾斜面を設けて、下向きの気流がこの傾斜面から吹き出るようにする場合、および、リテーナの内面の下部に凸状部を設けて、この凸状部から気流が下向きに吹き出るようにする場合は、吹き出し口の下部が下方に偏向する気流の妨げにならないようにするのみであり、気流全体を下方に十分偏向することができなかった。
そこで、本発明が解決しようとする課題は、上記問題を解決し、レジスタの吹き出し口の下部が上部よりも突き出るように吹き出し口が傾斜している場合でも、主たる吹き出し口と別個の吹き出し口を設けることなく、レジスタの吹き出し口から吹き出る気流を下方に偏向することができるとともに、前記気流を上方に偏向することができるレジスタを提供することである。
【課題を解決するための手段】
【０００５】
上記課題を解決するため、請求項１記載の発明は、複数の横フィンにより気流を偏向するレジスタであって、最上部の横フィンの隣の横フィンを固定し、前記最上部の横フィンの隣の横フィン以外の各横フィンは連動し、前記気流を下向きに偏向するとき、前記最上部の横フィンの回転軸よりも下流側部分の上面、前記最上部の横フィンの隣の横フィンの上面および他の各横フィンの上面を連ねて傾斜した上面を構成し、前記傾斜した上面の下端側が上端側よりも下流側に位置するようにし、前記最上部の横フィンとレジスタの上壁との間を気流が通過可能であり、前記最上部の横フィンとレジスタの前記上壁との間を通過する気流を前記傾斜した上面に沿って下向きに偏向し、前記気流を上向きに偏向するとき、前記最上部の横フィンの上流側端部がレジスタの前記上壁に当接することを特徴とするレジスタである。
なお、本明細書では、「上流」はレジスタ内を通過する気流の上流であり、「下流」はレジスタ内を通過する気流の下流である。
【０００６】
請求項１記載の発明により、レジスタが複数の横フィンにより気流を偏向する際に、以下のようになる。まず、複数の横フィンにより前記気流を下向きに偏向する場合、前記最上部の横フィンの回転軸よりも下流側部分の上面、前記最上部の横フィンの隣の横フィンの上面および他の各横フィンの上面を連ねて傾斜した上面を構成し、前記傾斜した上面の下端側が上端側よりも下流側に位置するようにし、前記最上部の横フィンとレジスタの上壁との間を通過する気流をコアンダ効果による付着効果により前記傾斜した上面に沿って下向きに偏向するので、前記気流の下向きの偏向の指向性を向上することができる。
つぎに、複数の横フィンにより前記気流を上向きに偏向する場合、前記最上部の横フィンの下流側端部がレジスタの前記上壁に当接するので、最上部の横フィンと前記上壁との間から気流が下流側に流れることを防ぐことができ、かつ最上部の横フィンおよび最上部の横フィンの隣の横フィンが気流を妨げるため、気流の指向性を向上することができ、レジスタの吹き出し口を狭くして気流の速度（風速）を上げて気流のスポット性を向上することができる。
【０００７】
請求項２記載の発明は、請求項１記載のレジスタであって、最上部の横フィンの回転軸より上流側部分が前記最上部の横フィンの回転軸より下流側部分に対して下方に折れ曲っていることを特徴とするレジスタである。
【０００８】
請求項２記載の発明により、前記気流を上方に偏向する場合に、最上部の横フィンの回転軸より下流側部分に対して下方に折れ曲っている最上部の横フィンの回転軸より上流側部分が前記気流の前記最上部の横フィンと前記最上部の横フィンの隣の横フィンとの間の通過を妨げるとともに、最上部の横フィンの隣の横フィンが気流を妨げるので、レジスタの吹き出し口の上部を気流が通過できなくなり、気流が吹き出し口の下部に偏るので、気流の速度が上がり、上向きに偏向する気流の指向性およびスポット性を向上することができる。
【０００９】
請求項３記載の発明は、請求項１記載のレジスタであって、前記気流を上向きに偏向するとき、最下部の横フィンの上流側端部がレジスタの下壁に当接することを特徴とするレジスタである。
【００１０】
請求項３記載の発明により、前記気流を上向きに偏向するとき、最下部の横フィンの上流側端部がレジスタの下壁に当接するので、最下部の横フィンの上流側端部とレジスタの前記下壁との間を気流が流れることを防ぐことができるため、上向きに偏向する気流の指向性を向上することができる。
【００１１】
請求項４記載の発明は、請求項１ないし３のいずれかに記載のレジスタであって、最上部の横フィンの上流側端部と下流側端部との距離が他の横フィンの上流側端部と下流側端部との距離よりも長いことを特徴とするレジスタである。
【００１２】
請求項４記載の発明により、最上部の横フィンによる気流の偏向を向上することができるとともに、気流を上向きに偏向する場合に、最上部の横フィンにより気流を遮蔽する範囲が広くなり、最上部の横フィンの隣の横フィン（気流を下方に偏向するように配置されている。）に当たる気流を少なくすることができる。
【００１３】
請求項５記載の発明は、請求項２記載のレジスタであって、前記気流を下向きに偏向するとき、前記最上部の横フィンの回転軸より上流側部分と上壁との間隔が上流側になるほど広くなることを特徴とするレジスタである。
【００１４】
請求項５記載の発明により、前記気流を下向きに偏向するとき、前記気流が前記最上部の横フィンの回転軸より上流側部分と上壁との間に流れ込みやすくなる。
【発明の効果】
【００１５】
請求項１記載の発明によれば、主たる吹き出し口と別個の吹き出し口を設けることなく、レジスタの吹き出し口の下部が上部よりも突き出るように吹き出し口が傾斜している場合でも、レジスタの吹き出し口から吹き出る気流を下方に偏向することができ、かつ前記気流を上方に偏向することができる。また、前記気流を上下方向に偏向するときの圧力損失および圧騒音を低減することができる。さらに、前記気流を乗員に向けたときのスポット性を向上させることができる。
請求項２記載の発明によれば、請求項１記載の発明の効果とともに、上向きに偏向する気流の指向性を一層向上することができる。
請求項３記載の発明によっても、請求項１記載の発明の効果とともに、上向きに偏向する気流の指向性を一層向上することができる。
請求項４記載の発明によれば、請求項１ないし３のいずれかに記載の発明の効果とともに、上向きに偏向する気流の指向性を一層向上することができる。
請求項５記載の発明によれば、請求項２記載の発明の効果とともに、下向きに偏向する気流の量を増加することができる。
【発明を実施するための最良の形態】
【００１６】
以下、本発明における実施の形態を図面に基づいて説明する。
図１は本発明の実施の形態に係るレジスタを示し、図２は図１のレジスタを分解した状態を示し、図３は図２の一部分を拡大して示し、図４は図１のレジスタが気流を下向きに偏向する場合の内部構造を図１のＡ方向から見た状態を示し、図５は図１のレジスタが気流を上向きに偏向する場合の内部構造を図１のＡ方向から見た状態を示し、図６は図４の場合の一部分を図１のＢ方向から見た状態を拡大して示し、図７は図４の場合の気流を示し、図８は図５の場合の気流を示す。
【００１７】
図１に示すようにレジスタ１０は、筒状のリテーナ２０およびベゼル３０により外形が形成されている。ベゼル３０はリテーナ２０の先端に固定されている。ベゼル３０の表面３０ａは鉛直方向に対して５０°〜７０°傾斜している。レジスタ１０の吹き出し口１２はベゼル３０の吹き出し口用孔３１で形成されている。さらに、ベゼル３０には、ノブ用孔３２およびノブ用孔３３が形成されている。ノブ用孔３２には横フィン用ノブ７１が配設され、ノブ用孔３３にはダンパ用ノブ７３が配設されている。
図２に示すように、レジスタ１０は筒状の壁１１を備え、壁１１は上壁１１ａ、下壁１１ｂ（図４参照）、一方の側壁１１ｃおよび他方の側壁１１ｄからなる。
【００１８】
図４に示すように、奥フィンとなる複数の横フィン全体４０（横フィン群）がレジスタ１０の内部に配設されている。複数の横フィン全体４０によりレジスタ１０内の気流を上下方向に偏向する。複数の横フィン全体４０は後述する各横フィン４１、４２、４３、４４、４５、４６、４７を備えている。
なお、図４に示すように、複数の横フィン全体４０の最上部の横フィン４１（第１横フィン）の上流側端部と下流側端部との距離が他の横フィン４２、４３、４４、４５、４６、４７の上流側端部と下流側端部との距離よりも長いことが望ましい。
【００１９】
最上部の横フィン４１の隣の横フィン４２（第２横フィン）を固定し、他の第３横フィン４３、第４横フィン４４、第５横フィン４５、第６横フィン４６および第７横フィン４７の回転軸４３ａ、４３ｂ（図３参照）、４４ａ、４４ｂ（図３参照）、４５ａ、４５ｂ（図３参照）、４６ａ、４６ｂ（図３参照）、４７ａ、４７ｂ（図３参照）は各横フィン４３、４４、４５、４６、４７の気流の吹き出し口１２側端部に設ける。
なお、図２に示すように、最上部の横フィン４１の回転軸４１ａおよび各回転軸４３ａ、４４ａ、４５ａ、４６ａ、４７ａ（図３参照）は一方の側壁１１ｃの丸孔１１ｃａに回動自在に取り付けられている。支持部材４９は他方の側壁１１ｄの上部の凹部１１ｄａに嵌合等により取り付けられ、最上部の横フィン４１の回転軸４１ｂおよび各回転軸４３ｂ、４４ｂ、４５ｂ、４６ｂ、４７ｂ（図３参照）は支持部材４９の各回転軸用切欠４９ａ（図３参照）に回動自在に取り付けられている。なお、凹部１１ｄａが形成された部分に各回転軸用切欠４９ａおよび固定軸用切欠４９ｂに対応する切欠１１ｄｂが形成されている。
【００２０】
図３に示すように、最上部の横フィン４１にはアーム４１ｅが付設され、各横フィン４３、４４、４５、４６、４７にはそれぞれアーム４３ｃ、４４ｃ、４５ｃ、４６ｃ、４７ｃが付設されている。各アーム４１ｅ、４３ｃ、４４ｃ、４５ｃ、４６ｃ、４７ｃの先端部にはそれぞれピン４１ｆ、４３ｄ、４４ｄ、４５ｄ、４６ｄ、４７ｄが形成され、各ピン４１ｆ、４３ｄ、４４ｄ、４５ｄ、４６ｄ、４７ｄは連結部材４８の各孔４８ａに回動自在に連結されている。このため、各横フィン４１、４３、４４、４５，４６、４７は連動する（図４および図５参照）。なお、連結部材４８は他方の側壁１１ｄ（図２参照）の外側に配設される。また、各アーム４１ｅ、４３ｃ、４４ｃ、４５ｃ、４６ｃ、４７ｃは他方の側壁１１ｄと連結部材４８との間に配設され、各ピン４１ｆ、４３ｄ、４４ｄ、４５ｄ、４６ｄ、４７ｄは連結部材４８側に形成される。
【００２１】
なお、図２に示すように、横フィン用ノブ７１はシム７１ｙを介して他方の側壁１１ｄの外面に固定された軸７１ｘに回動自在に取り付けられている。
図６に示すように、第４横フィン４４のアーム４４ｃはＶ字形であり、他のアーム４３ｃ等に相当する部分に横フィン用ノブ７１に係合する部分が結合されており、この横フィン用ノブ７１に係合する部分の先端部にピン４４ｅが形成され、このピン４４ｅが横フィン用ノブ７１のアーム部７１ａの溝７１ｂに係合する。このため、横フィン用ノブ７１を回転させると、アーム部７１ａが回転し、アーム部７１ａの溝７１ｂに係合するピン４４ｅが移動し、アーム４４ｃが回転し、図４および図５に示すように各横フィン４１、４３〜４７が連動して回転し気流の上下方向の偏向方向を変える。
なお、図３に示すように、第２横フィン４２は固定であり、第２横フィン４２の一方の角柱状支軸４２ａは一方の側壁１１ｃの角孔１１ｃｂ（図２参照）に固定され、第２横フィン４２の他方の角柱状支軸４２ｂは支持部材４９の固定軸用切欠４９ｂに固定される。
【００２２】
図４に示すように、前記気流を下向きに偏向するとき、最上部の横フィン４１の回転軸４１ａ、４１ｂ（図３参照）よりも下流側部分４１ｃの上面、最上部の横フィン４１の隣の横フィン４２の上面および前記他の各横フィン４３、４４、４５、４６、４７の上面を連ねて傾斜した上面を構成する。そして、前記傾斜した上面の下端側が上端側よりも下流側に位置するようにし、最上部の横フィン４１とレジスタ１０の上壁１１ａとの間を気流が通過可能であり、最上部の横フィン４１とレジスタ１０の上壁１１ａとの間を通過する気流が前記傾斜した上面に沿って下向きに偏向する。
具体的には、連ねた各横フィン４１〜４７は相互の隙間が殆どない状態になり、全体として１枚の板状になる。そして、前記傾斜した上面はこの１枚の板状になったものの上面である。このため、連ねた各横フィン４１〜４７は気流を遮る。このため、上記コアンダ効果が発生する。
図７は下向きに偏向された気流７６を示している。
【００２３】
図５に示すように、前記気流を上向きに偏向するとき、最上部の横フィン４１の下流側端部がレジスタ１０の上壁１１ａに当接する。具体的には、最上部の横フィン４１の回転軸４１ａ、４１ｂ（図３参照）よりも下流側部分４１ｃの下流側端部がレジスタ１０の上壁１１ａに当接する。
図８は上向きに偏向された気流７７を示している。
【００２４】
さらに、図４に示すように、最上部の横フィン４１の回転軸４１ａ、４１ｂ（図３参照）よりも上流側部分４１ｄが最上部の横フィン４１の回転軸４１ａ、４１ｂよりも下流側部分４１ｃに対して下方に折れ曲っている。すなわち、上流側部分４１ｄの下面と下流側部分４１ｃの下面との角度が１８０°より小さく形成されている。
【００２５】
さらに、図５に示すように、前記気流を上向きに偏向するとき、最下部の横フィン４７（第７横フィン）の上流側端部がレジスタ１０の下壁１１ｂに当接する。
【００２６】
また、図４に示すように、前記気流を下向きに偏向するとき、最上部の横フィン４１の回転軸４１ａ，４１ｂ（図３参照）より上流側部分４１ｄと上壁１１ａとの間隔が上流側になるほど広くなっている。
【００２７】
図４に示すように、複数の縦フィン全体５０（縦フィン群）は、レジスタ１０内において、複数の横フィン全体４０の下流にて、吹き出し口１２の中に配設されている。図２に示すように、複数の縦フィン全体５０は互いに連動する５枚の縦フィン５１を有している。
図５に示すように、複数の縦フィン全体５０の各縦フィン５１の上軸５１ａはレジスタ１０の上壁１１ａの取付部１１ａａ内に配設された支持部材５３の各孔５３ａに回動自在に支持されている。なお、図２に示すように支持部材５３の突起５３ｂが取付部１１ａａの凹部１１ａｂに嵌合している。図５に示すように、各縦フィン５１の下軸５１ｂはレジスタ１０の下壁１１ｂの内側に配設された支持部材５５の各孔５５ａに回動自在に支持されている。そして、各縦フィン５１は上軸５１ａ、下軸５１ｂを回転中心として回動自在である。
各縦フィン５１のピン５１ｃは連結部材５６（図２参照）の孔５６ａに回動自在に連結されている。このため、各縦フィン５１は連動して気流を左右に偏向する。図１に示すように、縦フィン用ノブ７２が複数の縦フィン全体５０の中央の縦フィン５１に取り付けられている。このため、縦フィン用ノブ７２により複数の縦フィン全体５０を操作することができる。
【００２８】
図４に示すダンパ６０はレジスタ１０内にて複数の横フィン全体４０の上流に配設され、レジスタ１０内を流れる気流の量を調節することができる。図２に示すように、ダンパ用ノブ７３はシム７３ｙを介してレジスタ１０の一方の側壁１１ｃの外側に固定された軸７３ｘに回動自在に配設されている。ダンパ用ノブ７３のアーム部７３ａの先端部はロッド６１の一端に回動自在に連結されている。ロッド６１の他端はアーム６２の先端部に回動自在に連結され、アーム６２の軸６２ａ（ダンパ６０の軸となる）は一方の側壁１１ｃの孔６２ｂに回動自在に取り付けられている。このため、ダンパ用ノブ７３を回転させるとダンパ６０が回転してレジスタ１０内の気流の量を調節することができる。また、レジスタ１０の気流の入口にウレタン等のシール材７５が取り付けられている。
【００２９】
以上の構成のレジスタ１０は以下の作用効果がある。
レジスタ１０が連動する各横フィン４１、４３〜４７および固定した横フィン４２により気流を偏向する際に、以下のようになる。
【００３０】
まず、複数の横フィン全体４０により前記気流を下向きに偏向する場合、最上部の横フィン４１の回転軸４１ａ、４１ｂよりも下流側部分の上面、最上部の横フィン４１の隣の横フィン４２の上面および前記他の各横フィン４３〜４７の上面を連ねて傾斜した上面を構成し、前記傾斜した上面の下端側が上端側よりも下流側に位置するようにし、最上部の横フィン４１とレジスタ１０の上壁１１ａとの間を通過する気流をコアンダ効果による付着効果により前記傾斜した上面に沿って下向きに偏向するので、前記気流の下向きの偏向の指向性を向上することができる。
【００３１】
つぎに、複数の横フィン全体４０により前記気流を上向きに偏向する場合、最上部の横フィン４１の下流側端部がレジスタ１０の上壁１１ａに当接するので、最上部の横フィン４１と上壁１１ａとの間から気流が下流の吹き出し口１２側に流れることを防ぐことができ、かつ最上部の横フィン４１および最上部の横フィン４１の隣の横フィン４２が気流を妨げるとともに、レジスタ１０の吹き出し口１２の上部を気流が通過できなくなり、気流が吹き出し口１２の下部に偏るので、吹き出し口１２を狭くして気流の速度が上がり、上向きに偏向する気流の指向性およびスポット性を向上することができる。
【００３２】
さらに、前記気流を上方に偏向する場合に、最上部の横フィン４１の回転軸４１ａ、４１ｂより下流側部分４１ｃに対して下方に折れ曲っている最上部の横フィン全体４０の回転軸４１ａ、４１ｂより上流側部分４１ｄが前記気流の最上部の横フィン４１と最上部の横フィン４１の隣の横フィン４２との間の通過を妨げるので、上向きに偏向する気流の指向性を向上することができる。
また、前記気流を上向きに偏向するとき、最下部の横フィン４７の上流側端部がレジスタ１０の下壁１１ｂに当接するので、最下部の横フィン４７の上流側端部とレジスタ１０の下壁１１ｂとの間を気流が流れることを防ぐことができるため、上向きに偏向する気流の指向性を向上することができる。
【００３３】
最上部の横フィン４１の上流側端部と下流側端部との距離が他の横フィン４２、４３、４４、４５、４６、４７の上流側端部と下流側端部との距離よりも長いと、最上部の横フィン４１による気流の偏向を向上することができるとともに、気流を上向きに偏向する場合に、最上部の横フィン４１の隣の横フィン４２に当たる気流を少なくすることができ、上向きに偏向する気流の指向性を向上することができる。
【００３４】
また、前記気流を下向きに偏向するとき、最上部の横フィン４１の回転軸４１ａ，４１ｂより上流側部分４１ｄと上壁１１ａとの間隔が前記気流の上流側になるほど広くなっているので、前記気流が前記最上部の横フィン４１の回転軸４１ａ，４１ｂより上流側部分４１ｄと上壁１１ａとの間に流れ込みやすくなる。
【００３５】
なお、上記実施の形態において、複数の縦フィン全体５０はなくてもよい。また、複数の縦フィン全体５０の各フィン５１の数は５に限らず任意である。
また、複数の横フィン全体４０の最上部の横フィン４１の上流側端部と下流側端部との距離が他の横フィン４２、４３、４４、４５、４６、４７の上流側端部と下流側端部との距離よりも長いが、このようにしなくてもよい。
また、最上部の横フィン４１の回転軸４１ａ、４１ｂより上流側部分４１ｄが最上部の横フィン４１の回転軸４１ａ、４１ｂより下流側部分４１ｃに対して下方に折れ曲っているが、これに限定されず、例えば上流側部分４１ｄが下流側部分４１ｃに対して折れ曲がらないで、上流側部分４１ｄと下流側部分４１ｃとをまとめて平板状に形成してもよい。
【００３６】
また、他の第３横フィン４３、第４横フィン４４、第５横フィン４５、第６横フィン４６および第７横フィン４７の回転軸４３ａ、４３ｂ、４４ａ、４４ｂ、４５ａ、４５ｂ、４６ａ、４６ｂ、４７ａ、４７ｂは各横フィン４３、４４、４５、４６、４７の気流の吹き出し口１２側端部に設けてあるが、これに限定されないで、回転軸４３ａ、４３ｂ、４４ａ、４４ｂ、４５ａ、４５ｂ、４６ａ、４６ｂ、４７ａ、４７ｂは各横フィン４３、４４、４５、４６、４７の気流の吹き出し口１２側端部以外の部分に設けてもよい。
また、複数の横フィン全体４０の横フィンの数は７に限らず任意である。
また、前記気流を下向きに偏向するとき、最上部の横フィン４１の回転軸４１ａ，４１ｂより上流側部分４１ｄと上壁１１ａとの間隔が前記気流の上流側になるほど広くなっているが、このようにしなくてもよい。例えば、上流側部分４１ｄと上壁１１ａとが平行になるようにしてもよい。
【図面の簡単な説明】
【００３７】
【図１】本発明の実施の形態に係るレジスタを示す斜視図である。
【図２】図１のレジスタを分解した状態を示す斜視図である。
【図３】図２の一部分を拡大して示す部分図である。
【図４】図１のレジスタが気流を下向きに偏向する場合の内部構造を図１のＡ方向から見た状態の断面図である。
【図５】図１のレジスタが気流を上向きに偏向する場合の内部構造を図１のＡ方向から見た状態の断面図である。
【図６】図４の場合の一部分を図１のＢ方向から見た内部構造を拡大して示す部分図である。
【図７】図４の場合の気流を示す説明図である。
【図８】図５の場合の気流を示す説明図である。
【図９】従来例にて気流を下方に偏向する場合を示す説明図である。
【図１０】図９の従来例にて気流を上方に偏向する場合を示す説明図である。
【符号の説明】
【００３８】
１０  レジスタ
１１  壁
１１ａ  上壁
１１ｂ  下壁
１２  吹き出し口
４０  複数の横フィン全体
４１  最上部の横フィン
４１ａ、４１ｂ  回転軸
４１ｃ  回転軸より下流側部分
４１ｄ  回転軸より上流側部分
４２  最上部の横フィンの隣の横フィン
４３  第３横フィン
４４  第４横フィン
４５  第５横フィン
４６  第６横フィン
４７  第７横フィン
７６、７７  気流
【図１】
2010111272.tif 000003
【図２】
2010111272.tif 000004
【図３】
2010111272.tif 000005
【図４】
2010111272.tif 000006
【図５】
2010111272.tif 000007
【図６】
2010111272.tif 000008
【図７】
2010111272.tif 000009
【図８】
2010111272.tif 000010
【図９】
2010111272.tif 000011
【図１０】
2010111272.tif 000012